(57)【要約】【課題】  橋桁ブロックの荷重を強固且つ安全に担架することができると共に、橋桁上架後は広い桁下空間を形成して撤去を容易とする橋桁仮支持架台装置及びそれを用いる架設ベントを提供する。【解決手段】  架設ベントは、ベント本体の上端に装着された支持架台１２の上面でサンドル２を介して橋桁ブロックを支持する。支持架台１２は、上部支持フレーム２１の四隅に脚部２２が下端を外側に揺動可能に枢着され、前後の脚部２２の下端にそれぞれ結合された連結索２３Ｆ，２３Ｒを、両者の間に介設されたラチェットレバーホイスト２３Ｂによって展張操作することで、脚部２２を上部支持フレーム２１に対して直角な立脚状態と、上部支持フレーム２１と平行な折脚状態との間で揺動させることができるように構成されている。【選択図】              図３
2005155160.tif 000002
【特許請求の範囲】
【請求項１】
橋桁ブロックを仮支持する架設ベントにおいて、ベント本体の上面に装着されて前記架設ベントの最上部を構成する架台装置であって、
上部支持板部の下面に、所定長さの複数の脚部材が、それぞれ前記上部支持板部の下側に垂下した立脚状態と、略水平となる折脚状態の間で揺動可能に枢着されて成り、前記立脚状態で前記ベント本体の上面に結合された状態から、結合を解除して前記脚部材を折脚状態とすることで高さを低くし得るように構成されていることを特徴とする橋桁仮支持架台装置。
【請求項２】
上記脚部材は、上端で上記上部支持板部に枢着され、上記立脚状態から下端が上記上部支持板部に対して外側に揺動して上記折脚状態となるように構成されていることを特徴とする請求項１に記載の橋桁仮支持架台装置。
【請求項３】
上記脚部材を揺動操作する脚部揺動操作手段を備えて構成されていることを特徴とする請求項１又は２に記載の橋桁仮支持架台装置。
【請求項４】
上記脚部揺動操作手段は、上記脚部材の先端近傍に結合されると共に上記支持板部に設けられた転向部を介して略水平に配策された索部材と、該索部材を手動によって引っ張り操作する巻き上げ装置と、により構成されていることを特徴とする請求項３に記載の橋桁仮支持架台装置。
【請求項５】
上記巻き上げ装置は、前後の上記脚部材の両索部材の間に介設され、前記前後の脚部材を同時に揺動操作するように構成されていることを特徴とする請求項４に記載の橋桁仮支持架台装置。
【請求項６】
上記橋桁仮支持架台装置の上部支持板部の下面には載置座が設けられると共に、上記ベント本体の上面には支持案内部材が橋軸と直交する側方に延設されており、折脚状態の橋桁仮支持架台装置が前記載置座で前記支持案内部材によって当該支持案内部材に沿って移動可能に支持されるように構成されていることを特徴とする請求項１，２，３，４又は５に記載の橋桁仮支持架台装置を用いる架設ベント。
【発明の詳細な説明】
【技術分野】
【０００１】
本発明は、橋桁ブロックを仮支持する架設ベントの最上部を構成する架台装置と、それを用いる架設ベントに関する。
【背景技術】
【０００２】
高架道路等の橋梁の建設工法として、所要の長さに分割して工場等で形成された橋桁ブロックを、現地にて順次連結して橋脚間に架設する工法がある。
【０００３】
このような工法では、橋脚の間に立設した支保構としての架設ベントによって橋桁ブロックを所定高さに仮支持し、高さ調整を行って隣接する橋桁ブロックと連結する。
【０００４】
橋桁ブロックを仮支持する架設ベントは、複数のベントブロックを積み上げて所定の高さに構築され、その最上段のベントブロック（頭頂ベントブロック）の上面に井桁状に数段積上げられたサンドル（盤木）を介して橋桁ブロックを支持する。橋桁ブロックの高さの微調整は、介在させた調整ジャッキによって行う。
【０００５】
ところで、架設ベントは橋桁ブロックを上架した後に上部から順番に解体撤去されるが、その段階では上側に橋桁が存在するため、頭頂ベントブロックの撤去はサンドルを撤去することで形成される狭い桁下空間を利用して行わなければならず、このため、人力で側方に移動させてクレーンで吊り上げたり、小型のクレーンを用いる等の必要があった。
【０００６】
しかし、人力で行う場合には高所作業であるために危険を伴い、また、小型のクレーンを用いる場合でも狭い桁下空間でのクレーンブームの操作が非常に難しく、解体撤去作業のために多大の工数及び時間を要するという問題があった。
【０００７】
そこで、特許文献１及び２に開示のごとく、伸縮可能な伸縮架設ベントや橋桁架設伸縮支持装置が提案されている。このような構成により、伸長させた状態で橋桁ブロックを支持すると共に、橋桁上架後には収縮させることで広い桁下空間を形成することができ、架設ベントの撤去が容易となる。
【特許文献１】特開平５−１９５５１２号公報
【特許文献２】特開２００２−２０１６１１号公報
【発明の開示】
【発明が解決しようとする課題】
【０００８】
しかしながら、上記のごとく伸縮可能な支持装置を構成する場合、伸縮可能な荷重担架部材を橋桁ブロックの重量を担架する伸長時に強固且つ安全に固定する必要があり、そのような固定構造が難しいという問題がある。また、伸縮作動をモーター等の駆動装置で行う構成では、駆動装置が長期にわたる施工期間中風雨に晒されることとなって好ましいものではない。
【０００９】
本発明は、上記問題に鑑みてなされたものであって、橋桁ブロックの荷重を強固且つ安全に担架することができると共に、橋桁上架後は広い桁下空間を形成して撤去を容易とする橋桁仮支持架台装置及びそれを用いる架設ベントを提供することを目的とする。
【課題を解決するための手段】
【００１０】
上記目的を達成する請求項１に係る発明の橋桁仮支持架台装置は、橋桁ブロックを仮支持する架設ベントにおいて、ベント本体の上面に装着されて前記架設ベントの最上部を構成する架台装置であって、上部支持板部の下面に、所定長さの複数の脚部材が、それぞれ前記上部支持板部の下側に垂下した立脚状態と、略水平となる折脚状態の間で揺動可能に枢着されて成り、前記立脚状態で前記ベント本体の上面に結合された状態から、結合を解除して前記脚部材を折脚状態とすることで高さを低くし得るように構成されていることを特徴とする。
【００１１】
この構成では、立脚状態でベント本体の上面に装着された橋桁ブロックを支持する状態に対し、橋桁上架後に脚部材の結合を解除して折脚状態とすることで高さが低くなる。立脚状態では橋桁ブロックを強固且つ安全に支持し、折脚状態では広い桁下空間を創出する。
【００１２】
また、請求項２に係る発明の橋桁仮支持架台装置は、上記脚部材は、上端で上記上部支持板部材に枢着され、上記立脚状態から下端が上記上部支持板部に対して外側に揺動して上記折脚状態となるように構成されていることを特徴とする。
【００１３】
この構成では、脚部材の下端が外側に揺動することで折脚状態となって、高さが低くなる。
【００１４】
また、請求項３に係る発明の橋桁仮支持架台装置は、上記脚部材を揺動操作する脚部揺動操作手段を備えて構成されていることを特徴とする。
【００１５】
この構成では、脚部揺動操作手段によって脚部材が揺動操作され、立脚状態から折脚状態に変化する。
【００１６】
また、請求項４に係る発明の橋桁仮支持架台装置は、上記脚部揺動操作手段は、上記脚部材の先端近傍に結合されると共に上記支持板部に設けられた転向部を介して略水平に配策された索部材と、該索部材を手動によって引っ張り操作する巻き上げ装置と、により構成されていることを特徴とする。
【００１７】
この構成では、巻き上げ装置による索部材の引っ張り操作によって脚部材が揺動し、立脚状態から折脚状態に変化する。
【００１８】
また、請求項５に係る発明の橋桁仮支持架台装置は、上記巻き上げ装置は、前後の上記脚部材の両索部材の間に介設され、前記前後の脚部材を同時に揺動操作するように構成されていることを特徴とする。
【００１９】
この構成では、一つの巻き上げ装置による索部材の引っ張り操作によって前後の脚部材が同時に揺動し、立脚状態から折脚状態に変化する。
【００２０】
また、上記請求項１，２，３，４又は５に記載の橋桁仮支持架台装置を用いる請求項６の発明に係る架設ベントは、上記橋桁仮支持架台装置の上部支持板部の下面には載置座が設けられると共に、上記ベント本体の上面には支持案内部材が橋軸と直交する側方に延設されており、折脚状態の橋桁仮支持架台装置が前記載置座で前記支持案内部材によって当該支持案内部材に沿って移動可能に支持されるように構成されていることを特徴とする。
【００２１】
この構成では、折脚状態で高さが低くなった橋桁仮支持架台装置は、その載置座でベント本体の上面に設けられた支持案内部材によって移動可能に支持され、支持案内部材に沿う側方への移動が可能となる。
【発明の効果】
【００２２】
請求項１に係る発明の橋桁仮支持架台装置によれば、上部支持板部の下面に脚部材が立脚状態と折脚状態の間で揺動可能に枢着されているため、立脚状態でベント本体の上面に装着されて橋桁ブロックを強固且つ安全に支持することができる。橋桁上架後は脚部を折脚状態として高さを低くすることで広い桁下空間を創出することができ、この広い桁下空間を利用して当該橋桁仮支持架台装置を容易に撤去することができる。
【００２３】
また、請求項２に係る発明の橋桁仮支持架台装置によれば、脚部材の下端が外側に揺動することで折脚状態となって高さが低くなるため、立脚状態で橋桁ブロックを強固且つ安全に支持することができると共に、橋桁上架後は折脚状態とすることで広い桁下空間を創出することができる。折脚状態では脚部材は外側に突出するため、脚部材同士の干渉がなく単純に薄く構成できる。
【００２４】
また、請求項３に係る発明の橋桁仮支持架台装置によれば、脚部揺動操作手段の操作によって脚部材を揺動させることで、橋桁上架後に立脚状態から折脚状態に容易に変化させることができる。
【００２５】
また、請求項４に係る発明の橋桁仮支持架台装置によれば、脚部揺動操作手段は、巻き上げ装置による索部材の引っ張り操作によって脚部材を揺動させて立脚状態から折脚状態に変化させるように構成されているため、簡単な構成で容易に脚部材を揺動させることができ、橋桁上架後に立脚状態から折脚状態に容易に変化させることができる。
【００２６】
また、請求項５に係る発明の橋桁仮支持架台装置によれば、巻き上げ装置が前後の脚部材の両索部材の間に介設され、前後の脚部材を同時に揺動操作するように構成されていることにより、一つの巻き上げ装置によって前後の脚部材を同時に揺動させて立脚状態から折脚状態に変化させることができ、脚部材の揺動作業を容易且つ迅速に行って橋桁上架後に立脚状態から折脚状態に容易に変化させることができる。
【００２７】
また、請求項６の発明に係る架設ベントによれば、ベント本体の上面に側方に突出して設けられた支持案内部材が、折脚状態の橋桁仮支持架台装置を載置座を介して当該支持案内部材に沿って移動可能に支持するため、橋桁仮支持架台装置を支持案内部材に沿って側方への移動させることができ、当該橋桁仮支持架台装置の撤去を極めて容易に成し得るものである。
【発明を実施するための最良の形態】
【００２８】
以下、添付図面を参照して本発明を実施するための最良の形態について説明する。  
図１は、本発明に係る橋桁仮支持架台装置の一構成例を用いた架設ベント１０を示し、橋桁ブロック１を仮支持した状態を橋軸方向から見た図（橋軸と直交する断面図）である。
【００２９】
架設ベント１０は、ベントブロック１０Ａを複数段に組み上げて構築された所定高さのベント本体１１の最上段に、橋桁仮支持架台装置としての支持架台１２（１２Ｌ，１２Ｒ）が左右に装着され、両支持架台１２Ｌ，１２Ｒの上面に井桁上に積み上げられたサンドル２を介して橋桁ブロック１を支持している。また、支持架台１２Ｌ，１２Ｒが装着されるベント本体１１の上面には、前後一対の支持案内部材としての移動ガイド梁１３が側方に所定量突出させて設けられている。
【００３０】
支持架台１２は、全体形状が略立方体状のフレーム２０の周囲に、足場１２Ａが巡って配設されると共に、ベント本体１１の上端部周囲を巡って配設された足場１１Ａとの間を繋ぐ梯子１２Ｂを備えている。
【００３１】
フレーム２０は、図１のＸ部拡大図に相当する図２及びそのＡ矢視に相当する側面図である図３に示すように、平面形状が矩形の上部支持板部としての上部支持フレーム２１の四隅に、それぞれ脚部材としての脚部２２（２２Ｆ，２２Ｒ）が装着され、この脚部２２の下端でベント本体１１の上面に結合されている。また、図中２５は、左右の脚部２２を連結する斜材，２６はフレーム２０とベント本体１１とを補強連結する斜材である。更に、脚部２２を揺動させる脚部揺動操作手段としての脚揺動操作機構２３を備えている。尚、図２及び図３は、煩雑さを避けるために足場１２Ａ，１３Ａ及び梯子１２Ｂを省略してフレーム２０のみ図示したものである。
【００３２】
上部支持フレーム２１は、橋軸方向に延びる左右一対の縦ビーム２１Ａの上面に直交する複数の横ビーム２１Ｂが固定されて、Ｈ形溝を組み合わせた梯子状に形成されている。また、その下面には、ベント本体１１に設けられた移動ガイド梁１３と対応する前後二カ所に、移動ガイド梁１３の上面に移動可能に嵌合する載置座としてのシュー２４が配設されている。
【００３３】
脚部２２は、所定の長さで上下両端にそれぞれ締着板２２Ａを備えると共に、上端の前後方向（橋軸方向）外側に連結板２２Ｂを備えており、その連結板２２Ｂが、上部支持フレーム２１の縦ビーム２１Ａの下面に突設された支持金具２１ａに橋軸と直交する枢軸２１ｂによって枢着されている。これにより、上部支持フレーム２１に対して、上端の締着板２２Ａが縦ビーム２１Ａの下面に密着して当該脚部２２が縦ビーム２１Ａに対して直交する状態（立脚状態）から、図４に示すように下端を前後方向の外側に縦ビーム２１Ａと平行となる状態（折脚状態）まで揺動し得るようになっている。この脚部２２が縦ビーム２１Ａと平行な状態（折脚状態）では、連結板２２Ｂの下端部が縦ビーム２１Ａの下面に突設された固定金具２１ｃと重合し、両者を貫通する固定ピン２１ｄによって固定することができるようになっている。
【００３４】
脚揺動操作機構２３は、前後の脚部２２Ｆ，２２Ｒの下端近傍の側面にそれぞれ先端が結合された索部材としての連結索２３Ｆ，２３Ｒが、それぞれ上部支持フレーム２１の縦ビーム２１Ａの端部上面と内部に配設された転向部２３Ａを介して配索されると共に、その他端が手動の巻き上げ装置としてのラチェットレバーホイスト２３Ｂを介して連結されて構成されている。
【００３５】
転向部２３Ａは、連結索２３Ｆ，２３Ｒを案内するシーブが支持軸によって回転自在に支持されて成り、シーブを巻回した連結索２３Ｆ，２３Ｒの配索経路を上部支持フレーム２１と平行に転向させるように配設されている。
【００３６】
ラチェットレバーホイスト２３Ｂは、その固定側フック及び可動側フックにそれぞれ連結索２３Ｆ，２３Ｒの端部を引っ掛けて、両連結索２３Ｆ，２３Ｒの端部間に介設されている。
【００３７】
このように構成された脚揺動操作機構２３では、ラチェットレバーホイスト２３Ｂの操作によって連結索２３Ｆ，２３Ｒを展張させることで、脚部２２Ｆ，２２Ｒを同時に枢軸２１ｂ回り逆方向に揺動操作することができる。即ち、連結索２３Ｆ，２３Ｒを引っ張り操作することで、図３に示すように脚部２２Ｆ，２２Ｒが上部支持フレーム２１に対して直角な立脚状態から、前後の脚部２２Ｆ，２２Ｒを同時に外側に揺動させて図４に示すように上部支持フレーム２１と平行な折脚状態とすることができ、また、連結索２３Ｆ，２３Ｒを緩めることで折脚状態から立脚状態に戻すことができるものである。この脚揺動操作機構２３は、左右両側にそれぞれ前後の脚部２２Ｆ，２２Ｒを揺動操作すべく一対設けられているものである。尚、この脚揺動操作機構２３を構成する連結索２３Ｆ，２３Ｒ及びラチェットレバーホイスト２３Ｂは、恒常的な配設は要さず、必要に応じて上部支持フレーム２１に装着することで施工期間中長期に亘って風雨に晒されることを回避できる。
【００３８】
上記のごとく構成された支持架台１２は、図３に示すように上部支持フレーム２１の下面に、脚部２２が直交する状態でその上端の締着板２２Ａを介して締結されてテーブル状を成し、その脚部２２の下端の締着板２２Ａを介してベント本体１１の上面に締結固定される。そして、上部支持フレーム２１の上面（横ビーム２１Ｂの上面）に積み上げられたサンドル２を介して橋桁ブロック１を支持する。また、橋桁ブロック１の高さ調整は、図示しないが横ビーム２１Ｂの上に配設されたジャッキによって行う。この構成では、荷重を担架する脚部２２はその上端部が上部支持フレーム２１の下面に締着されると共に下端部が上部支持フレーム２１の上面に締着されるため、橋桁ブロック１の荷重を強固且つ安全に担架することができる。
【００３９】
橋桁上架後における架設ベント１０の解体撤去の際には、下記のごとくして支持架台１２の高さを低くすることで、当該支持架台１２及びベント本体１１の撤去を容易とする大きな桁下空間を創出することができる。
【００４０】
即ち、まず、脚部２２のベント本体１１との締結を解除し、支持架台１２を橋桁（橋桁ブロック１）から吊り下げた図示しないチェンブロック等の浮上手段によって、図５（Ａ）に示すようにベント本体１１から僅かに浮上させる。この浮上隙間は、最上部のサンドル又は当該サンドルと橋桁の間の噛ませ物を撤去することで創出する。橋桁上架後は、当該架設ベント１０は橋桁を支持していない（橋桁荷重を担架していない）ため、必要に応じて介設したジャッキを用いることで容易に行うことができる。
【００４１】
次いで、脚揺動操作機構２３を操作して脚部２２を折脚状態とし、浮上手段を操作して図５（Ｂ）に示すように支持架台１２をベント本体１１上に降ろす。これにより、図５（Ｃ）及び図１と対応する全体図である図６に示すように、支持架台１２はそのシュー２４を介して移動ガイド梁１３に載り、当該移動ガイド梁１３に沿って移動可能に支持される。
【００４２】
この状態で、支持架台１２とその上側の橋桁１′との間には、広い桁下空間が形成されることとなり、その空間にクレーンの吊り下げヘッドを挿入して支持架台１２を吊り下げて容易に撤去できる。本構成例では、移動ガイド梁１３を備えているため、クレーンの吊り下げヘッドを桁下空間に挿入することなく支持架台１２の側方に位置させ、図６中に矢印で示すように支持架台１２を移動ガイド梁１３に沿って側方に移動させた後吊り上げることで、より一層容易に撤去することができる。
【００４３】
支持架台１２の撤去後は、それによって創出された更に広い桁下空間を利用してベント本体１１を解体撤去できる。
【００４４】
撤去された支持架台１２は、図７（Ａ）に示すように搬送されて、（Ｂ）に示すように格納脚台３０によって安定的に支持され、そのまま搬送・格納することができる。
【００４５】
格納脚台３０は、支持架台１２と対応する平面形状矩形のベース３１の四隅に支持腕３２が立設され、その支持腕３２が、立脚状態では脚部２２が結合される上部支持フレーム２１の部位に締着されて、支持架台１２を安定的に支持するように構成されているものである。
【００４６】
尚、本願発明は上記構成例に限るものではなく、脚部揺動操作手段等の構成は適宜変更可能なものである。
【図面の簡単な説明】
【００４７】
【図１】本発明に係る橋桁仮支持架台装置の一構成例を用いた架設ベントを示す橋軸方向から見た図である。
【図２】図１のＸ部拡大図に相当する支持架台のフレームの正面図である。
【図３】図２のＡ矢視に相当する支持架台のフレームの側面図である。
【図４】支持架台のフレームの立脚状態を示す側面図である。
【図５】支持架台の撤去行程の説明図である。
【図６】支持架台の撤去時における架設ベントの全体図である。
【図７】撤去された支持架台の搬送・格納状態の説明図である。
【符号の説明】
【００４８】
１  橋桁ブロック
１０  架設ベント
１１  ベント本体
１２  支持架台（橋桁仮支持架台装置）
１３  移動ガイド梁（支持案内部材）
２０  フレーム
２１  上部支持フレーム（上部支持板部）
２２（２２Ｆ，２２Ｒ）  脚部（脚部材）
２３  脚揺動操作機構（脚部揺動操作手段）
２３Ａ  転向部
２３Ｂ  ラチェットレバーホイスト（巻き上げ装置）
２３Ｆ，２３Ｒ  連結索（索部材）
２４  シュー（載置座）
【図１】
2005155160.tif 000003
【図２】
2005155160.tif 000004
【図３】
2005155160.tif 000005
【図４】
2005155160.tif 000006
【図５】
2005155160.tif 000007
【図６】
2005155160.tif 000008
【図７】
2005155160.tif 000009